(57)【特許請求の範囲】
【請求項１】
ユーザ認証が完了したユーザに応じた数の入力領域が含まれた画面を、各ユーザの端末装置に表示するよう制御する第１の制御手段と、
前記各ユーザの端末装置に表示された、前記入力領域に入力された商品の価格に関する値を取得する取得手段と、
前記取得手段が所定期間に取得した前記価格に関する値それぞれについて、当該値を入力したユーザの人数が最小となる前記価格に関する値のうち、最小の値を入力したユーザを特定する特定手段と、
前記特定手段により特定されたユーザに対して、前記商品の購入を可能にする権限を付与する付与手段と、
前記所定期間が経過した後に、前記値それぞれを入力したユーザの人数を集計した集計結果が含まれた画面を、前記各ユーザの端末装置に表示するよう制御する第２の制御手段と、を有し、
前記第２の制御手段は、前記画面を表示する端末装置ごとに、それぞれの端末装置のユーザにより入力された値を、該入力された値と同じ値を入力したユーザの人数と対応付けて、前記集計結果として表示するよう制御することを特徴とするサーバ装置。
【請求項２】
前記特定手段は、
前記最小の値を入力したユーザが複数いる場合、該最小の値を入力した順序に応じて、ユーザを特定することを特徴とする請求項１に記載のサーバ装置。
【請求項３】
前記特定手段は、
前記入力したユーザの人数が１となる前記価格に関する値のうち、最小の値を入力したユーザを特定することを特徴とする請求項１に記載のサーバ装置。
【請求項４】
前記第２の制御手段は、入力したユーザの人数が所定の人数となる値を、前記集計結果として表示するよう制御することを特徴とする請求項１に記載のサーバ装置。
【請求項５】
サーバ装置のコンピュータに、
ユーザ認証が完了したユーザに応じた数の入力領域が含まれた画面を、各ユーザの端末装置に表示するよう制御する第１の制御工程と、
前記各ユーザの端末装置に表示された、前記入力領域に入力された商品の価格に関する値を取得する取得工程と、
前記取得工程において所定期間に取得した前記価格に関する値それぞれについて、当該値を入力したユーザの人数が最小となる前記価格に関する値のうち、最小の値を入力したユーザを特定する特定工程と、
前記特定工程において特定されたユーザに対して、前記商品の購入を可能にする権限を付与する付与工程と、
前記所定期間が経過した後に、前記値それぞれを入力したユーザの人数を集計した集計結果が含まれた画面を、前記各ユーザの端末装置に表示するよう制御する第２の制御工程と、を実行させるためのプログラムであって、
前記第２の制御工程は、前記画面を表示する端末装置ごとに、それぞれの端末装置のユーザにより入力された値を、該入力された値と同じ値を入力したユーザの人数と対応付けて、前記集計結果として表示するよう制御することを特徴とするプログラム。
【発明の詳細な説明】
【技術分野】
【０００１】
本発明はサーバ装置、端末装置及びプログラムに関する。
【背景技術】
【０００２】
近年、電気通信回線を介して商品を販売する通信販売サービスが広く普及しており、様々なユーザにより利用されている（例えば、下記特許文献１等参照）。このような通信販売サービスでは、より多くのユーザに利用してもらうために、例えば、特定商品を一定期間だけ格安の価格で販売するなどの販売促進活動（キャンペーンサービス）が行われる。
【０００３】
ここで、キャンペーンサービスによる集客効果を向上させるためには、例えば、もともと安価な商品を更に格安な価格に設定することで、できるだけ多くのユーザが恩恵を受けられるようにする方法が考えられる。あるいは、もともと高価な商品を個数を限定して格安な価格に設定することで、限られたユーザがより大きな恩恵を受けられるようにする方法が考えられる。
【先行技術文献】
【特許文献】
【０００４】
【特許文献１】特開２０１３−２４６６９４号公報
【発明の概要】
【発明が解決しようとする課題】
【０００５】
しかしながら、安価な商品は、ユーザにとって魅力的でない商品であることも多く、キャンペーンサービスによる集客効果は必ずしも高くない。一方で、高価な商品を格安な価格で販売することは、ユーザにとって魅力的であるが、通常、抽選や申込み順序により当選者が決定されるため、当選に対するユーザの期待感が薄く、集客効果が限定的であるという問題がある。
【０００６】
本発明は上記課題に鑑みてなされたものであり、通信販売サービスにおいて、より効果的な販売促進活動が提供できるようにすることを目的とする。
【課題を解決するための手段】
【０００７】
本発明の実施形態に係るサーバ装置は、以下のような構成を有する。すなわち、
ユーザ認証が完了したユーザに応じた数の入力領域が含まれた画面を、各ユーザの端末装置に表示するよう制御する第１の制御手段と、
前記各ユーザの端末装置に表示された、前記入力領域に入力された商品の価格に関する値を取得する取得手段と、
前記取得手段が所定期間に取得した前記価格に関する値それぞれについて、当該値を入力したユーザの人数が最小となる前記価格に関する値のうち、最小の値を入力したユーザを特定する特定手段と、
前記特定手段により特定されたユーザに対して、前記商品の購入を可能にする権限を付与する付与手段と、
前記所定期間が経過した後に、前記値それぞれを入力したユーザの人数を集計した集計結果が含まれた画面を、前記各ユーザの端末装置に表示するよう制御する第２の制御手段と、を有し、
前記第２の制御手段は、前記画面を表示する端末装置ごとに、それぞれの端末装置のユーザにより入力された値を、該入力された値と同じ値を入力したユーザの人数と対応付けて、前記集計結果として表示するよう制御することを特徴とする。
【発明の効果】
【０００８】
本発明の各実施形態によれば、通信販売サービスにおいて、より効果的な販売促進活動が提供できるようになる。
【図面の簡単な説明】
【０００９】
【図１】通信販売システムの全体構成を示す図である。
【図２】サーバ装置のハードウェア構成を示す図である。
【図３】特定商品を購入可能な当選者の決定方法を説明するための図である。
【図４】サーバ装置の機能構成を示す図である。
【図５】ユーザ情報の一例を示す図である。
【図６】参加情報の一例を示す図である。
【図７】通信販売システムにおける販売処理の流れを示すシーケンス図である。
【図８】携帯端末に表示される販売用画面の一例を示す図である。
【図９】携帯端末に表示されるキャンペーンサービス用画面の一例を示す図である。
【図１０】携帯端末に表示されるエントリ用画面の一例を示す図である。
【図１１】サーバ装置における当選者決定処理の流れを示すフローチャートである。
【図１２】エントリ用画面に表示されるエラーメッセージの一例を示す図である。
【図１３】携帯端末に表示される集計結果画面の一例を示す図である。
【図１４】サーバ装置における集計処理の詳細な流れを示すフローチャートである。
【図１５】サーバ装置における集計処理の詳細な流れを示す他のフローチャートである。
【図１６】携帯端末に表示されるエントリ用画面の他の一例を示す図である。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
［第１の実施形態］
＜１．配信システムの全体構成＞
はじめに、本実施形態に係る通信販売システムの全体構成について説明する。図１は、通信販売システム１００の全体構成を示す図である。
【００１２】
図１に示すように、通信販売システム１００は、携帯端末１１０と、情報処理装置１２０と、サーバ装置１３０とを備える。サーバ装置１３０と、携帯端末１１０及び情報処理装置１２０とは、回線１４０を介して接続されている。
【００１３】
携帯端末１１０は、スマートフォンや携帯電話等の携帯可能な端末装置である。携帯端末１１０には、購入用アプリケーション１１１がインストールされている。携帯端末１１０のユーザは、購入用アプリケーション１１１を起動させることで、サーバ装置１３０が提供する、通信販売サービスを利用することができる。また、購入用アプリケーション１１１を介して、キャンペーンサービスの提供を受けることができる。なお、本実施形態においてキャンペーンサービスとは、所定期間内に特定商品の価格を入力したユーザの中から所定の条件を満たすユーザを当選者として決定し、当該当選者に対して当該当選者が入力した価格で当該特定商品の販売を行うサービスをいう。
【００１４】
情報処理装置１２０は、パーソナルコンピュータ等の端末装置である。情報処理装置１２０にも、携帯端末１１０と同様に、購入用アプリケーション１２１がインストールされており、携帯端末１１０のユーザと同様のサービスを受けることができる。なお、購入用アプリケーション１２１は、情報処理装置１２０にインストールするのではなく、情報処理装置１２０のウェブブラウザを通じて提供されてもよい。
【００１５】
サーバ装置１３０は、回線１４０を介して、携帯端末１１０や情報処理装置１２０に各種サービスを提供する装置である。サーバ装置１３０は、各種サービスの提供に際して、ユーザ認証を行うためのユーザ情報データベース（以下、「データベース」をＤＢと略す）１３１を有する。また、サーバ装置１３０は、キャンペーンサービスを利用するユーザが入力する、特定商品の価格を登録する参加情報ＤＢ１３２を有する。なお、本実施形態では、キャンペーンサービスを利用するユーザが特定商品の価格を入力することを、"キャンペーンに参加する"と称することとする。
【００１６】
サーバ装置１３０には、ユーザに対して通信販売サービスを提供する販売用アプリケーション１３３がインストールされている。なお、販売用アプリケーション１３３は、サーバ装置１３０にインストールするのではなく、情報処理装置１２０のウェブブラウザを通じて提供されてもよい。
サーバ装置１３０が販売用アプリケーション１３３を実行することで、サーバ装置１３０では、携帯端末１１０や情報処理装置１２０に対して通信販売サービスやキャンペーンサービスを提供することができる。
【００１７】
＜２．サーバ装置のハードウェア構成＞
次に、サーバ装置１３０のハードウェア構成について説明する。図２は、サーバ装置１３０のハードウェア構成を示す図である。
【００１８】
図２に示すように、サーバ装置１３０は、ＣＰＵ（Central Processing Unit）２０１、ＲＯＭ（Read Only Memory）２０２、ＲＡＭ（Random Access Memory）２０３、記憶部２０４を備える。更に、入出力部２０５、通信部２０６を備える。なお、サーバ装置１３０の各部は、バス２０７を介して相互に接続されているものとする。
【００１９】
ＣＰＵ２０１は、記憶部２０４に格納された各種プログラム（例えば、販売用アプリケーション１３３）を実行するコンピュータである。
【００２０】
ＲＯＭ２０２は不揮発性メモリである。ＲＯＭ２０２は、記憶部２０４に格納された各種プログラムを、ＣＰＵ２０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００２１】
ＲＡＭ２０３は、ＤＲＡＭ（Dynamic Random Access Memory）やＳＲＡＭ（Static Random Access Memory）等の主記憶装置である。ＲＡＭ２０３は、各種プログラムがＣＰＵ２０１によって実行される際に展開される、作業領域として機能する。
【００２２】
記憶部２０４は、ＣＰＵ２０１により実行される各種プログラム（例えば、販売用アプリケーション１３３）を格納する。
【００２３】
入出力部２０５は、サーバ装置１３０に対して各種指示を入力するための入力部と、サーバ装置１３０の内部状態を表示する表示部とを有する。通信部２０６は、回線１４０を介して携帯端末１１０または情報処理装置１２０と通信を行う。
【００２４】
＜３．キャンペーンサービスの概要及び当選者の決定方法の概要＞
次に、サーバ装置１３０により提供されるキャンペーンサービスの概要及び当選者の決定方法の概要について説明する。
【００２５】
はじめに、サーバ装置１３０により提供されるキャンペーンサービスの概要について説明する。上述したように、サーバ装置１３０は、携帯端末１１０及び情報処理装置１２０のユーザに対して、商品の販売を行う通信販売サービスを提供するとともに、キャンペーンサービスを提供する。
【００２６】
本実施形態におけるキャンペーンサービスの場合、特定商品の販売価格が、キャンペーンに参加するユーザが入力する価格に基づいて決定される。ここで、ユーザによる価格の入力は、以下のルールに基づいて行われるものとする。
・キャンペーンに参加できるユーザは、携帯端末１１０または情報処理装置１２０に購入用アプリケーション１１１または１２１がインストールされ、サーバ装置１３０のユーザ情報ＤＢ１３１にユーザ情報が登録されているユーザである。
・１つの特定商品に対して、キャンペーン期間中、ユーザが入力できる価格は、１回だけである。
・１回入力した価格は、以降、変更することができない。
・価格は、１円単位で入力でき、予め定められた下限値（例えば、１円）から上限値（特定商品の通常の価格に基づいて定められた値）までの範囲で入力することができる。
【００２７】
このようなルールに基づいてユーザにより入力された価格のうち、実際に決定される販売価格は、キャンペーン期間終了後に決定される当選者が入力した価格である。つまり、自身が入力した価格で特定商品を購入できるのは、当選者のみである。ここで、キャンペーン期間終了後に決定される当選者の決定方法について説明する。
【００２８】
なお、以下では、ユーザによって入力された価格を、「エントリ価格」と称することで、実際に決定される販売価格と区別する。
【００２９】
図３は、通信販売システム１００において当選者を決定する決定方法を説明するための図である。図３において、横軸は各ユーザが入力するエントリ価格（円）であり、本実施形態においては１円単位で管理される。なお、図３の例では、ユーザが入力できるエントリ価格の下限値＝１円、上限値＝１００００円としている。また、縦軸は、各エントリ価格を入力したユーザの人数（「エントリ人数」と称す）を示している。
【００３０】
図３に示すように、商品名：Ａの場合、横軸の各エントリ価格に対して複数のユーザが同一のエントリ価格を入力している。例えば、エントリ価格＝１円と入力したユーザの数は、１００人である。一方で、エントリ価格＝４９１２円と入力したユーザの数は、１人（ユーザＡ）だけである。また、エントリ価格＝４９１９円と入力したユーザの数も、１人（ユーザＢ）だけである。
【００３１】
通信販売システム１００では、ユーザの数を、ユーザが入力したエントリ価格ごとに集計し、ユーザの数が１人しかいないエントリ価格を抽出する。そして、抽出したエントリ価格のうち、最小のエントリ価格を特定商品（商品名：Ａ）の実際の販売価格として決定する。また、最小のエントリ価格を入力したユーザ（ユーザＡ）を当選者に決定する。つまり、図３の例では、当選者はユーザＡであり、販売価格は４９１２円となる（商品名：Ａの商品は、販売価格４９１２円で、ユーザＡのみに販売される）。
【００３２】
このように、通信販売システム１００の場合、決定される当選者は１人のみであるため、特定商品として高価な商品を設定することができる。この結果、ユーザにとって魅力的であり、集客効果の高いキャンペーンサービスを提供することができる。
【００３３】
また、従来のように、単なる抽選や申込み順序によって当選者が決定されるわけではなく、ユーザ自身が入力したエントリ価格に基づいて決定される。このため、当選に対するユーザの期待感を向上させることができ、集客効果の範囲を拡げることができる。
【００３４】
更に、ユーザ自身が入力する数値（エントリ価格）そのものに基づいて当選者が決定されるのではなく、数値（エントリ価格）を入力したユーザの人数に基づいて当選者が決定されるため、ユーザにとっては、よりゲーム性が増す。この結果、キャンペーンに参加するユーザの参加意欲を刺激し、対象のサービスへのアクセス数やアクセス頻度を向上させることが期待できる。
【００３５】
以上のように、本実施形態に係る通信販売システム１００によれば、通信販売サービスにおいて、より効果的な販売促進活動が提供できるようになる。
【００３６】
＜４．サーバ装置の機能構成＞
次に、サーバ装置１３０の機能構成について説明する。図４は、サーバ装置１３０の機能構成を示す図である。なお、サーバ装置１３０では、ＣＰＵ２０１が販売用アプリケーション１３３を実行することにより、通信販売サービスとキャンペーンサービスとを提供することができるが、ここでは、主にキャンペーンサービスを提供するための機能について説明する。
【００３７】
図４に示すように、サーバ装置１３０は、キャンペーンサービスを提供するための機能として、認証部４０１、ユーザインタフェース制御部４０２、エントリ管理部４０３、エントリ結果解析部４０４、当選者管理部４０５を有する。なお、ユーザ情報ＤＢ１３１、参加情報ＤＢ１３２は、例えば、記憶部２０４に格納されているものとする。
【００３８】
認証部４０１は、サーバ装置１３０が通信販売サービスを提供する際にユーザ認証を行う。認証部４０１では、ユーザ情報ＤＢ１３１に格納されているユーザ情報に基づいて、ユーザ認証を行う。
【００３９】
図５は、ユーザ情報ＤＢ１３１に格納されているユーザ情報（携帯端末１１０のユーザのユーザ情報）の一例を示す図である。図５に示すように、ユーザ情報５００には、情報の項目として、"購入用アプリケーションのユーザＩＤ"、"電話番号"、"メールアドレス"が含まれる。ユーザＩＤは機密性を高めるために、ハッシュ関するを用いてハッシュ化してユーザ情報ＤＢ１３１に格納されてもよい。
【００４０】
なお、携帯端末１１０のユーザは、通信販売サービスの提供を受けるための購入用アプリケーション１１１をインストールする際に、ユーザ情報５００を入力するものとする。これにより、ユーザ情報ＤＢ１３１には、購入用アプリケーション１１１を有するユーザのユーザ情報５００が登録される。また、ユーザ情報は当該通信販売サービス単独で使用されるものだけなく、他のインスタントメッセージングサービスやソーシャルネットワーキングサービスに既に登録したユーザ情報を利用してもよい。その場合、ユーザが使用する携帯端末１１０にインストールされた、当該インスタントメッセージングサービスやソーシャルネットワーキングサービス用のアプリケーションを使用して、当該通信販売サービスに、登録済みのユーザ情報を使用する為の認証（いわゆる「アプリ認証」）を行う必要がある。アプリ認証を利用する場合、認証処理はサーバ装置１３０ではなく、当該インスタントメッセージングサービスやソーシャルネットワーキングサービスを提供するサーバ装置で行われる。
【００４１】
なお、情報処理装置１２０のユーザも、同様に、購入用アプリケーション１２１をインストールする際に、ユーザ情報を登録するものとする。
【００４２】
図４の説明に戻る。ユーザインタフェース制御部４０２は、通信販売サービス（キャンペーンサービスも含む）の提供を受けるユーザの携帯端末１１０に表示するユーザインタフェースを制御する。
【００４３】
エントリ管理部４０３は、キャンペーン期間中に動作し、キャンペーンに参加するユーザと、当該ユーザが入力するエントリ価格とを管理する。なお、キャンペーンに参加するユーザを識別するための情報と、当該ユーザが入力するエントリ価格は、参加情報として参加情報ＤＢ１３２に格納される。
【００４４】
図６は、参加情報ＤＢ１３２に格納される参加情報の一例を示す図である。図６に示すように、参加情報６００は商品ごとに管理され、情報の項目として、"入力日時"、"ユーザＩＤ"、"エントリ価格"が含まれる。"入力日時"には、ユーザがエントリ価格を入力した日時が格納される。"ユーザＩＤ"には、エントリ価格を入力したユーザを識別するための情報として、ユーザ情報５００に登録されているユーザＩＤが格納される。なお、ユーザＩＤは機密性を高めるためにハッシュ関数を用いてハッシュ化して参加情報ＤＢ１３２に格納されてもよい。"エントリ価格"には、ユーザが入力したエントリ価格が格納される。
【００４５】
再び図４の説明に戻る。エントリ結果解析部４０４は、キャンペーン期間終了後に動作し、参加情報ＤＢ１３２に格納されている参加情報を集計することで、特定商品の当選者及び販売価格を決定する。
【００４６】
当選者管理部４０５は、エントリ結果解析部４０４により決定された当選者に対して、当選通知を行うとともに、特定商品の購入手続きを行うためのアクセス先（例えば、購買ページ）へのアクセスを可能にするアクセス権限を付与する。
【００４７】
＜５．通信販売システムにおける販売処理の流れ＞
次に、通信販売システム１００における販売処理の流れについて図７〜図１０を用いて説明する。図７は、通信販売システム１００における販売処理の流れを示すシーケンス図である。
【００４８】
ユーザ７００が携帯端末１１０上で通信販売サービスの提供を受けるための操作（アクセス操作）を行うと（ステップＳ７０１）、携帯端末１１０では、サーバ装置１３０に対してアクセス要求を送信する（ステップＳ７０２）。
【００４９】
サーバ装置１３０に送信されたアクセス要求は認証部４０１に送られ、認証部４０１においてユーザ認証が行われる（ステップＳ７０３）。なお、ユーザ認証は、上記のアプリ認証によって行われてもよい。認証部４０１におけるユーザ認証の結果、ユーザ認証に成功したと判定した場合には、ユーザインタフェース制御部４０２に成功した旨の通知を行う（ステップＳ７０４）。
【００５０】
通知を受けたユーザインタフェース制御部４０２は、携帯端末１１０に、通信販売サービスを提供するための販売用画面を表示するよう制御する（ステップＳ７０５）。図８は、販売用画面８００の一例を示す図である。図８に示すように、販売用画面８００の商品表示領域８１０には、通信販売サービスにおいて販売者が販売する商品が表示される。
【００５１】
このうち、"商品名：Ａ"の商品は、キャンペーンサービスの対象となる特定商品である。このため、当該商品を示すアイコン８１１を選択することで、ユーザは当該特定商品についてのキャンペーンサービスの利用を要求することができる。
【００５２】
ユーザがキャンペーンサービスの利用を要求する操作を行うと（ステップＳ７０６）、携帯端末１１０では、サーバ装置１３０に対してキャンペーンサービスの利用要求を送信する（ステップＳ７０７）。サーバ装置１３０のユーザインタフェース制御部４０２では、携帯端末１１０より、キャンペーンサービスの利用要求を受信すると、携帯端末１１０に、キャンペーンサービス用画面を表示するよう制御する（ステップＳ７０８）。図９は、携帯端末１１０に表示されるキャンペーンサービス用画面の一例を示す図である。
【００５３】
図９に示すように、キャンペーンサービス用画面９００の領域９０１には、ユーザにより選択された商品が、キャンペーンサービスの対象となる特定商品であることが明示される。また、領域９０１には、キャンペーン期間が明示される。
【００５４】
更に、キャンペーンサービス用画面９００の領域９０２には、ユーザにより選択された商品の商品名及び商品の外観写真が明示される。更に、キャンペーンサービス用画面９００には、エントリ価格の入力要求を行うためのボタン９０３が明示される。
【００５５】
なお、ユーザインタフェース制御部４０２が携帯端末１１０にキャンペーンサービス用画面９００を表示するよう制御するのと並行して、サーバ装置１３０の各部は、当選者決定処理を実行する（ステップＳ７０９）。なお、当選者決定処理の詳細は後述する。
【００５６】
携帯端末１１０に表示されたキャンペーンサービス用画面９００に対して、ユーザがボタン９０３を押圧操作すると（ステップＳ７１０）、携帯端末１１０では、サーバ装置１３０に対して、エントリ価格の入力要求を送信する（ステップＳ７１１）。
【００５７】
エントリ価格の入力要求を受信したサーバ装置１３０では、携帯端末１１０に、エントリ用画面を表示するよう制御する。図１０は、携帯端末１１０に表示されるエントリ用画面の一例を示す図である。
【００５８】
図１０（ａ）において、入力領域１００１は、ユーザがエントリ価格を入力するための領域である。ボタン１００２は、入力領域１００１に入力されたエントリ価格を含むエントリ情報をサーバ装置１３０に送信するためのボタンである。
【００５９】
ユーザが、商品名：Ａを購入するためのエントリ価格を入力し、ボタン１００２を押圧操作すると（ステップＳ７１３）、携帯端末１１０ではサーバ装置１３０に対してエントリ情報を送信する（ステップＳ７１４）。携帯端末１１０からサーバ装置１３０に対して送信されるエントリ情報には、ユーザが入力したエントリ価格、携帯端末１１０の電話番号、購入用アプリケーションのユーザＩＤ等が含まれる。
【００６０】
なお、ボタン１００２に対する押圧操作が行われると、図１０（ｂ）に示すように、エントリ用画面１０００の入力領域１００１にはロックがかかり、ユーザによるエントリ価格の入力が禁止される。また、ボタン１００２にもロックがかかり、エントリ情報を繰り返し送信することが禁止される。
【００６１】
このように、本実施形態における通信販売システム１００では、ユーザは、特定商品（商品名：Ａ）に対して、エントリ価格を１回だけ入力し、エントリ情報を送信した後は、エントリ価格を変更することができない。つまり、本実施形態における通信販売システム１００では、キャンペーン期間中、１つの特定商品に対して、１回だけエントリ価格を入力することができる。
【００６２】
図７の説明に戻る。携帯端末１１０からサーバ装置１３０に対してエントリ情報が送信された後は、同様の処理を繰り返すことで、サーバ装置１３０では、キャンペーン期間が終了するまで、複数のユーザからのエントリ情報を受信する。そして、キャンペーン期間が終了すると当選者を決定し、携帯端末１１０に対して当選通知を送信する（ステップＳ７１５）。
【００６３】
＜６．当選者決定処理の流れ＞
次に、当選者決定処理（図７のステップＳ７０９）の流れについて説明する。図１１は、当選者決定処理の流れを示すフローチャートである。なお、ここでは、商品名：Ａについての当選者決定処理について説明する。
【００６４】
ステップＳ１１０１において、エントリ管理部４０３は、キャンペーン期間が開始されたか否かを判定する。キャンペーン期間がまだ開始されていないと判定した場合には、キャンペーン期間が開始されるまで待機する。
【００６５】
一方、キャンペーン期間が開始されたと判定した場合には、ステップＳ１１０２に進む。ステップＳ１１０２において、エントリ管理部４０３は、エントリ価格の入力要求を受信したか否かを判定する。ステップＳ１１０２において、エントリ価格の入力要求を受信していないと判定した場合には、ステップＳ１１０９に進む。
【００６６】
一方、ステップＳ１１０２において、エントリ価格の入力要求を受信したと判定した場合には、ステップＳ１１０３に進む。ステップＳ１１０３では、ユーザインタフェース制御部４０２が、エントリ価格の入力要求を行った要求元の携帯端末１１０に、エントリ用画面１０００を表示するよう制御する。
【００６７】
ステップＳ１１０４では、エントリ管理部４０３が、携帯端末１１０より送信されるエントリ情報を取得する。ステップＳ１１０５では、エントリ管理部４０３が、携帯端末１１０より送信されるエントリ情報に含まれるエントリ価格が、下限値（例えば、１円）以上かつ上限値（例えば、１００００円）以下であるか否かを判定する。
【００６８】
ステップＳ１１０５において、エントリ価格が下限値未満であるか、上限値を超えていると判定した場合には、ステップＳ１１０７に進む。ステップＳ１１０７において、ユーザインタフェース制御部４０２は、携帯端末１１０にエラーメッセージを表示するよう制御する。
【００６９】
図１２は、携帯端末１１０に表示されるエラーメッセージの一例を示す図である。図１２（ａ）に示すように、エントリ用画面１０００の入力領域１００１において０円を入力し、ボタン１００２を押圧操作すると、図１２（ｂ）に示すように、エラーメッセージ１２０１が表示される。なお、エラーメッセージ１２０１において、ＯＫボタン１２０２を押圧操作すると、エラーメッセージ１２０１が消え、図１２（ａ）に示すエントリ用画面１０００に戻る。
【００７０】
一方、ステップＳ１１０５において、エントリ価格が下限値以上かつ上限値以下であると判定された場合には、ステップＳ１１０６に進む。ステップＳ１１０６において、エントリ管理部４０３は、参加情報ＤＢ１３２に、入力日時、電話番号に基づくハッシュＩＤ、エントリ価格を登録する。
【００７１】
ステップＳ１１０８において、ユーザインタフェース制御部４０２は、エントリ情報を送信した携帯端末１１０に対して、エントリ用画面１０００をエントリ情報の取得が完了したことを示す画面に変更するよう指示する。これにより、携帯端末１１０のエントリ用画面１０００は、図１０（ｂ）に示す画面に変更される。
【００７２】
ステップＳ１１０９において、エントリ管理部４０３は、キャンペーン期間が終了したか否かを判定する。キャンペーン期間が終了していないと判定された場合には、ステップＳ１１０２に戻る。
【００７３】
一方、ステップＳ１１０９において、エントリ管理部４０３が、キャンペーン期間が終了したと判定した場合には、ステップＳ１１１０に進む。ステップＳ１１１０では、エントリ結果解析部４０４が、参加情報ＤＢ１３２に格納された参加情報６００について集計処理を行う。なお、集計処理の詳細は後述する。
【００７４】
ステップＳ１１１１において、ユーザインタフェース制御部４０２は、ステップＳ１１１０における集計結果を、携帯端末１１０に表示するよう制御する。更に、当選者管理部４０５は、当選者の携帯端末１１０に対して当選通知を行う。なお、当選通知には、当選したことを示すメッセージ、及び、特定商品の販売価格、特定商品を販売している購買ページにアクセスするためのＵＲＬ（Uniform Resource Locator）が含まれる。
【００７５】
図１３は、携帯端末１１０に表示される集計結果画面の一例を示す図である。図１３に示すように、集計結果画面１３００は、キャンペーンサービスの対象となった特定商品の商品名を表示する領域１３０１と、集計結果を示す領域１３０２とが含まれる。
【００７６】
集計結果を示す領域１３０２には、携帯端末１１０のユーザのエントリ価格と、当該エントリ価格と同じエントリ価格を入力したユーザの人数が表示される。また、当選者が入力したエントリ価格、エントリ人数が１人であったエントリ価格、エントリ人数が２人であったエントリ価格、エントリ人数が３人であったエントリ価格等、エントリ人数ごとのエントリ価格が表示される。
【００７７】
更に、集計結果を示す領域１３０２には、エントリ人数が最も多かったエントリ価格と、入力されたエントリ価格の中で最も高いエントリ価格及び最も低いエントリ価格が表示される。
【００７８】
図１１の説明に戻る。ステップＳ１１１２において、当選者管理部４０５は、特定商品の購買ページへのアクセスを可能にするアクセス権限を当選者に付与する。これにより、当選通知を受信したユーザ（当選者）は、購買ページのＵＲＬにアクセスし、特定商品に対する購買手続きを行うことができる。
【００７９】
＜７．集計処理の流れ＞
次に、集計処理（図１１のステップＳ１１１０）の流れについて説明する。図１４は、サーバ装置１３０における集計処理の詳細な流れを示すフローチャートである。ステップＳ１４０１において、エントリ結果解析部４０４は、参加情報６００を解析し、各エントリ価格を入力したユーザの人数を算出する。
【００８０】
ステップＳ１４０２において、エントリ結果解析部４０４は、エントリ人数が"１"のエントリ価格を抽出する。
【００８１】
ステップＳ１４０３において、エントリ結果解析部４０４は、ステップＳ１４０２において抽出したエントリ価格の中から、最小のエントリ価格を抽出する。
【００８２】
ステップＳ１４０４において、エントリ結果解析部４０４は、ステップＳ１４０３において抽出した最小のエントリ価格を入力したユーザを特定する。
【００８３】
ステップＳ１４０５において、エントリ結果解析部４０４は、ステップＳ１４０４において特定したユーザを当選者と決定し、当該当選者が入力したエントリ価格を販売価格と決定し、ステップＳ１１１１（図１１）に戻る。
【００８４】
＜８．まとめ＞
以上の説明から明らかなように、本実施形態に係る通信販売システム１００では、キャンペーンサービスの対象となる特定商品を購入可能なユーザを、当選者として１人のみ決定する構成とした。
【００８５】
これにより、特定商品として高価な商品を設定することが可能となるため、ユーザにとって魅力的で、かつ、集客効果の高いキャンペーンサービスを提供することができる。
【００８６】
また、本実施形態に係る通信販売システム１００では、従来のように、単なる抽選や申込み順序により当選者が決定される構成ではなく、ユーザ自身が入力したエントリ価格に基づいて当選者が決定される構成とした。
【００８７】
これにより、当選に対するユーザの期待感を向上させることができ、集客効果の範囲を拡げることが可能になる。
【００８８】
また、本実施形態に係る通信販売システム１００では、ユーザ自身が入力する数値（エントリ価格）そのものに基づいて当選者を決定する構成ではなく、数値（エントリ価格）を入力したユーザの人数に基づいて当選者を決定する構成とした。
【００８９】
これにより、当選者の決定方法におけるゲーム性が増し、キャンペーンに参加するユーザの参加意欲を刺激し、対象のサービスへのアクセス数やアクセス頻度を向上させることが期待できる。
【００９０】
この結果、本実施形態に係る通信販売システム１００によれば、通信販売サービスにおいて効果的な販売促進活動を提供できるようになる。
【００９１】
［第２の実施形態］
上記第１の実施形態では、エントリ人数が１人のエントリ価格を抽出する構成としたが、本発明はこれに限定されない。例えば、エントリ人数が１人のエントリ価格が存在しない場合もあり得ることを考慮し、エントリ人数が最小のエントリ価格を抽出する構成としてもよい。
【００９２】
図１５は、本実施形態におけるサーバ装置１３０の集計処理の詳細な流れを示すフローチャートである。なお、図１４に示した集計処理と同じ工程には同じ参照番号を付すこととし、ここでは説明を省略する。以下では、図１４との相違点を中心に説明する。
【００９３】
図１５に示すように、ステップＳ１５０１において、エントリ結果解析部４０４は、エントリ人数が最小のエントリ価格を抽出する。
【００９４】
ステップＳ１５０２において、エントリ結果解析部４０４は、ステップＳ１４０３において抽出された最小のエントリ価格のエントリ人数が１人であるか否かを判定する。ステップＳ１５０２において、エントリ人数が１人であると判定した場合には、ステップＳ１４０４に進む。
【００９５】
一方、ステップＳ１５０２において、エントリ人数が１人ではないと判定した場合には、ステップＳ１５０３に進む。ステップＳ１５０３において、エントリ結果解析部４０４は、ステップＳ１４０３において抽出した最小のエントリ価格を入力したユーザのうち、最も早くエントリ価格を入力したユーザを特定する。
【００９６】
ステップＳ１５０４において、エントリ結果解析部４０４は、ステップＳ１５０３において特定したユーザまたはステップＳ１４０４において特定したユーザを当選者と決定し、当該当選者が入力したエントリ価格を販売価格と決定する。
【００９７】
以上のとおり、本実施形態に係る通信販売システム１００によれば、エントリ人数が１人のエントリ価格が存在しない場合であっても、当選者及び販売価格を決定することができる。
【００９８】
［第３の実施形態］
上記第１の実施形態では、キャンペーン期間中にユーザがエントリ価格を入力できる機会（入力可能回数）は１回のみとしたが、本発明はこれに限定されない。例えば、ユーザごとに予め設定された回数（エントリ回数）だけ、エントリ価格を入力できる構成としてもよい。
【００９９】
なお、エントリ回数は、ユーザ情報５００において、ユーザごとに設定されているものとし、ユーザインタフェース制御部４０２は、エントリ価格の入力要求元にエントリ用画面を表示する際に（ステップＳ１１０３）、ユーザ情報５００を参照するものとする。これにより、エントリ回数に応じたエントリ用画面を表示するよう制御することができる。
【０１００】
図１６は、エントリ回数に応じた数の入力領域を有するエントリ画面の一例を示す図である。図１６（ａ）の例では、エントリ回数が３回に設定されており、ユーザがエントリ価格を入力するための入力領域として入力領域１６０１〜１６０３が表示される。
【０１０１】
これにより、ユーザは、入力領域１６０１〜１６０３それぞれにエントリ価格を入力することができる（つまり、３通りのエントリ価格を入力することができる）。なお、図１６（ｂ）の例では、入力領域１６０１及び入力領域１６０２にエントリ価格が入力され、ボタン１００２が押圧操作された状態を示している。このため、入力領域１６０１及び入力領域１６０２にはロックがかかり、ユーザは入力領域１６０１及び入力領域１６０２に対するエントリ価格の入力が禁止された状態となっている。一方、入力領域１６０３には、まだエントリ価格が入力されておらず、ユーザは、入力領域１６０３に対してエントリ価格を入力することができる。
【０１０２】
このように、ユーザごとにエントリ回数を設定しておくことで、ユーザは予め定められた回数だけ、エントリ価格を入力することができる。なお、エントリ回数が増えた場合であっても、一旦、入力したエントリ価格を変更することはできない。
【０１０３】
したがって、既に入力したエントリ価格と異なるエントリ価格を入力するためには、ユーザは、エントリ回数を増やしておくことが必要である。
【０１０４】
ここで、ユーザごとに予め設定されるエントリ回数は、例えば、
・通信販売サービスの提供を受ける新たなユーザを紹介し、当該ユーザが新たにユーザ情報を登録した場合、
・特定のページを購読した場合、
・特定のアカウントのフォローをした場合、
に増えるように構成されているものとする。
【０１０５】
［第４の実施形態］
上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１０６】
１００                  ：通信販売システム
１１０                  ：携帯端末
１１１                  ：購入用アプリケーション
１２０                  ：情報処理装置
１２１                  ：購入用アプリケーション
１３０                  ：サーバ装置
１３１                  ：ユーザ情報ＤＢ
１３２                  ：参加情報ＤＢ
１３３                  ：販売用アプリケーション
４０１                  ：認証部
４０２                  ：ユーザインタフェース制御部
４０３                  ：エントリ管理部
４０４                  ：エントリ結果解析部
４０５                  ：当選者管理部
５００                  ：ユーザ情報
６００                  ：参加情報
８００                  ：販売用画面
９００                  ：キャンペーンサービス用画面
１０００                ：エントリ用画面
１３００                ：集計結果画面
１６００                ：エントリ用画面
【図１】
0005951667.tif 000002
【図２】
0005951667.tif 000003
【図３】
0005951667.tif 000004
【図４】
0005951667.tif 000005
【図５】
0005951667.tif 000006
【図６】
0005951667.tif 000007
【図７】
0005951667.tif 000008
【図８】
0005951667.tif 000009
【図９】
0005951667.tif 000010
【図１０】
0005951667.tif 000011
【図１１】
0005951667.tif 000012
【図１２】
0005951667.tif 000013
【図１３】
0005951667.tif 000014
【図１４】
0005951667.tif 000015
【図１５】
0005951667.tif 000016
【図１６】
0005951667.tif 000017